(57)【要約】【課題】用紙の排紙を行わずとも給紙カセットの残用紙枚数を取得することが可能な画像処理装置を提供すること。【解決手段】  給紙トレイのセットされた用紙を取り出すための第１ローラと用紙を搬送するための第２ローラとを有する画像処理装置であって、搬送された用紙が第２ローラにかかったことを検知する用紙検知手段と、前用紙検知手段により用紙が検知された場合に前記第１ローラを用紙の搬送とは逆方向に回転させる第１ローラ制御手段と、前記第１ローラ制御手段により前記第１ローラが逆方法に回線されたら場合に前記第２ローラの負荷を計測する負荷計測手段と、前記第２ローラの負荷が所定の量であった場合に、前記第１ローラの駆動量から前記給紙トレイにセットされている用紙の残枚数を決定する残枚数決定手段と、を有することを特徴とする。【選択図】図１
2014069941.tif 000002
【特許請求の範囲】
【請求項１】
給紙トレイのセットされた用紙を取り出すための第１ローラと用紙を搬送するための第２ローラとを有する画像処理装置であって、
搬送された用紙が第２ローラにかかったことを検知する用紙検知手段と、
前用紙検知手段により用紙が検知された場合に前記第１ローラを用紙の搬送とは逆方向に回転させる第１ローラ制御手段と、
前記第１ローラ制御手段により前記第１ローラが逆方法に回線されたら場合に前記第２ローラの負荷を計測する負荷計測手段と、
前記第２ローラの負荷が所定の量であった場合に、前記第１ローラの駆動量から前記給紙トレイにセットされている用紙の残枚数を決定する残枚数決定手段と、
を有することを特徴とする画像処理装置。
【請求項２】
前記第２ローラの負荷が所定の量になるように前記用紙の位置を制御するローラ制御部を更に有することを特徴とする請求項１記載の画像処理装置。
【請求項３】
前記ローラ制御部は、前記第２ローラの負荷量が第２の所定値よりも大きい場合には、前記第１のローラを給紙方向とは逆方向に回転するように制御することを特徴とする請求項１または２記載の画像処理装置。
【請求項４】
給紙トレイのセットされた用紙を取り出すための第１ローラと用紙を搬送するための第２ローラとを有する画像処理装置の制御方法であって、
搬送された用紙が第２ローラにかかったことを検知する用紙検知ステップと、
前用紙検知ステップにより用紙が検知された場合に前記第１ローラを用紙の搬送とは逆方向に回転させる第１ローラ制御ステップと、
前記第１ローラ制御ステップにより前記第１ローラが逆方法に回線されたら場合に前記第２ローラの負荷を計測する負荷計測ステップと、
前記第２ローラの負荷が所定の量であった場合に、前記第１ローラの駆動量から前記給紙トレイにセットされている用紙の残枚数を決定する残枚数決定ステップと、
を有することを特徴とする画像処理装置の制御方法。
【請求項５】
給紙トレイのセットされた用紙を取り出すための第１ローラと用紙を搬送するための第２ローラとを有する画像処理装置を、
搬送された用紙が第２ローラにかかったことを検知する用紙検知手段と、
前用紙検知手段により用紙が検知された場合に前記第１ローラを用紙の搬送とは逆方向に回転させる第１ローラ制御手段と、
前記第１ローラ制御手段により前記第１ローラが逆方法に回線されたら場合に前記第２ローラの負荷を計測する負荷計測手段と、
前記第２ローラの負荷が所定の量であった場合に、前記第１ローラの駆動量から前記給紙トレイにセットされている用紙の残枚数を決定する残枚数決定手段と、
を有することを特徴とする画像処理装置として機能させるためのプログラム。
【発明の詳細な説明】
【技術分野】
【０００１】
本発明は、用紙の搬送距離から残りの用紙残量を得ることが可能な画像処理装置に関する。
【背景技術】
【０００２】
従来、多数枚の用紙などの媒体を給紙カセットにセットしておき、用紙を供給する画像処理装置では、通常、用紙の残量を知るために用紙の重量などを測ることで、おおよその残量を通知するようになっている。そのため、正確な残用紙枚数を知ることは容易ではない。
【０００３】
そこで、特許文献１では、駆動源が積層された媒体を搬送するために駆動を開始してから、媒体が前体検知手段により検知されるまでの前記駆動源の駆動量により、媒体支持部材上の積層された媒体の量を検出する技術が公開されている。
【先行技術文献】
【特許文献】
【０００４】
【特許文献１】特開２００４−３３１３４４号公報
【発明の概要】
【発明が解決しようとする課題】
【０００５】
特許文献１に記載の技術は、検知手段により媒体が検知されるまでの駆動源が駆動量により、媒体の量を検出している。つまり、給紙ローラによって搬送された用紙が、用紙検出センサにより検知されるまでの用紙の搬送量を利用して、残用紙枚数を算出しようとするものである。
【０００６】
そしてこの仕組みにより、新たにセンサを増やさずに、積層された媒体の量を検出することを実現している。
【０００７】
しかしながら、特許文献１の技術では、既設の用紙検出センサにより用紙を検出することによる用紙の搬送量を利用して、残用紙枚数を算出している。この用紙検出センサは、用紙が給紙経路内に突出するように配置されているものであって、このセンサにより検知される位置まで搬送された用紙は、給紙されてしまう。つまり、この方式で用紙残量を検出するには、少なくとも一度は排紙をする必要があり、排紙前などの用紙の補給を行った直後などは用紙の残量を取得することができない。
【０００８】
そこで、本願発明では、用紙の排紙を行わずとも給紙カセットの残用紙枚数を取得することが可能な画像処理装置を提供することを課題とする。
【課題を解決するための手段】
【０００９】
給紙トレイのセットされた用紙を取り出すための第１ローラと用紙を搬送するための第２ローラとを有する画像処理装置であって、搬送された用紙が第２ローラにかかったことを検知する用紙検知手段と、前用紙検知手段により用紙が検知された場合に前記第１ローラを用紙の搬送とは逆方向に回転させる第１ローラ制御手段と、前記第１ローラ制御手段により前記第１ローラが逆方法に回線されたら場合に前記第２ローラの負荷を計測する負荷計測手段と、前記第２ローラの負荷が所定の量であった場合に、前記第１ローラの駆動量から前記給紙トレイにセットされている用紙の残枚数を決定する残枚数決定手段と、を有する。
【発明の効果】
【００１０】
本発明によれば、用紙の排紙を行わずとも給紙カセットの残用紙枚数を取得することが可能な画像処理装置を提供することが可能となる。
【図面の簡単な説明】
【００１１】
【図１】本発明の実施形態に係わる画像処理装置の構成の断面を示す図である。
【図２】本発明の実施形態に係わる画像処理装置のハードウェア構成の一例を示すブロック図である。
【図３】本発明の実施形態に係わる画像処理装置の機能構成の一例を示すブロック図である。
【図４】本発明の実施形態に係わる画像処理装置の残量検出処理の開始時のイメージ図である。
【図５】本発明の実施形態に係わる画像処理装置の残量検出処理の第２ローラで検知された時のイメージ図である。
【図６】本発明の実施形態に係わる画像処理装置の残量検出処理の所定の負荷状態が検知された時のイメージ図である。
【図７】本発明の実施形態に係わる画像処理装置の残量検出処理のフローチャートである。
【図８】本発明の実施形態に係わる情報処理装置の残量検出処理に利用されるテーブルのイメージ図である。
【発明を実施するための形態】
【００１２】
以下、本発明の実施の形態を、図面を参照して詳細に説明する。
【００１３】
図１は、本発明の実施形態に係わる画像処理装置の構成の断面を示す図である。
【００１４】
画像処理装置１０１は、用紙を搬送して印刷する複写機やプリンタなどの画像処理装置である。用紙カセット１０３にセットされた用紙１０２が第１ローラ１０４によって用紙がカセットより取りだされ搬送が始まり、第２ローラ１０５によって用紙が搬送される。機種により数は異なるが、あれば、他のローラ１０６を経由し、給紙センサ１０７により用紙が検知され、検知された用紙は、用紙搬送方向に搬送され、不図示の給紙経路内に送られる。
【００１５】
給紙カセット１０３は、印刷媒体である用紙をセットするためのカセットである。例では１０００枚セットできるようになっており、例えば用紙残量（Ｙ）が１０００枚ある場合は、最大残量があることになる。
【００１６】
第１ローラ１０４は、給紙カセット内の最上部にある用紙を取り出すためのローラであって、モータによって用紙上面を押圧しながら回転する。第２ローラ１０５は、給紙カセットから取り出された印刷媒体を搬送するためのローラであって、モータによって用紙を挟み込みながら回転する。
【００１７】
本実施形態では、第１ローラ、第２ローラともに用紙搬送方向に搬送するための順方向への回転と、用紙を元の方向へ戻すための逆方向への回転を行うことができる。
【００１８】
他のローラ１０６は、画像処理装置の構造にもよるが、第３ローラ・第３ローラとして、備えることが可能である。これらローラは、各ローラに備えられる駆動部により回転させられる。駆動部の回転により用紙の搬送量を得ることができ、この用紙の搬送量を利用して用紙残枚数を算出する。
【００１９】
給紙センサ１０６は、用紙が一定位置まで給紙されたことを検知するためのセンサである。
【００２０】
特許文献１では、給紙カセット１０３の用紙の位置から給紙センサ１０６までの搬送の距離を算定することにより、用紙の残量を算定している。例えば、用紙残量１０００枚の場合と、用紙残量５００枚の場合では、用紙センサまでの搬送量が異なる。用紙搬送量と用紙残量が対応付いたテーブルを利用することで残容量を算出するようになっている。
【００２１】
本願発明では、給紙センサ１０７まで用紙を搬送しなくとも用紙の残枚数を算出するものであり、詳細については後述するが、用紙が第２ローラにかかったら第１ローラを逆回転させ、ローラの負荷が所定の大きさになったときの用紙搬送量を利用して、用紙の残枚数を算出するようになっている。
【００２２】
これにより、用紙が排紙される必要がなく、用紙をセットしてすぐの状態であっても残枚数を知ることができるし、センサなどの部品を取り付ける必要もない。
【００２３】
図２は、本発明の実施形態に係わる画像処理装置のハードウェア構成の一例を示すブロック図である。
【００２４】
本発明の画像処理装置１０１として適用可能な複合機を制御するコントローラユニットのハードウェア構成について説明する。
【００２５】
図２において、３１６はコントローラユニットで、画像入力デバイスとして機能するスキャナ３１４や、画像出力デバイスとして機能するプリンタ３１２と接続する一方、ＬＡＮや公衆回線（ＷＡＮ）（例えば、ＰＳＴＮまたはＩＳＤＮ等）と接続することで、画像データやデバイス情報の入出力を行う。
【００２６】
コントローラユニット３１６において、３０１はＣＰＵで、システム全体を制御するプロセッサである。３０２はＲＡＭで、ＣＰＵ３０１が動作するためのシステムワークメモリであり、プログラムを記録するためのプログラムメモリや、画像データを一時記録するための画像メモリでもある。
【００２７】
３０３はＲＯＭで、システムのブートプログラムや各種制御プログラムが格納されている。３０４は外部記憶装置（ハードディスクドライブ（ＨＤＤ））で、システムを制御するための各種プログラム，画像データ等を格納する。
【００２８】
３０７は操作部インタフェース（操作部Ｉ／Ｆ）で、操作部（ＵＩ）３０８とのインタフェース部であり、操作部３０８に表示する画像データを操作部３０８に対して出力する。また、操作部Ｉ／Ｆ３０７は、操作部３０８から本システム使用者が入力した情報（例えば、ユーザ情報等）をＣＰＵ３０１に伝える役割をする。なお、操作部３０８はタッチパネルを有する表示部を備え、該表示部に表示されたボタンを、ユーザが押下（指等でタッチ）することにより、各種指示を行うことができる。
【００２９】
３０５はネットワークインタフェース（Ｎｅｔｗｏｒｋ  Ｉ／Ｆ）で、ネットワーク（ＬＡＮ）に接続し、データの入出力を行う。３０６はモデム（ＭＯＤＥＭ）で、公衆回線に接続し、ＦＡＸの送受信等のデータの入出力を行う。
【００３０】
３１８は外部インタフェース（外部Ｉ／Ｆ）で、ＵＳＢ、ＩＥＥＥ１３９４，プリンタポート，ＲＳ−２３２Ｃ等の外部入力を受け付けるＩ／Ｆ部であり、本実施形態においては認証で必要となるＩＣカードの読み取り用のカードリーダ３１９が外部Ｉ／Ｆ部３１８に接続されている。そして、ＣＰＵ３０１は、この外部Ｉ／Ｆ３１８を介してカードリーダ３１９によるＩＣカードからの情報読み取りを制御し、該ＩＣカードから読み取られた情報を取得可能である。尚、ＩＣカードに限らず、ユーザを特定することが可能な記憶媒体であればよい。この場合、記憶媒体にはユーザを識別するための識別情報が記憶される。この識別情報は、記憶媒体の製造番号でも、ユーザが企業内で与えられるユーザコードであってもよい。
【００３１】
以上のデバイスがシステムバス３０９上に配置される。
【００３２】
３２０はイメージバスインタフェース（ＩＭＡＧＥ  ＢＵＳ  Ｉ／Ｆ）であり、システムバス３０９と画像データを高速で転送する画像バス３１５とを接続し、データ構造を変換するバスブリッジである。
【００３３】
画像バス３１５は、ＰＣＩバスまたはＩＥＥＥ１３９４で構成される。画像バス３１５上には以下のデバイスが配置される。
【００３４】
３１０はラスタイメージプロセッサ（ＲＩＰ）で、例えば、ＰＤＬコード等のベクトルデータをビットマップイメージに展開する。３１１はプリンタインタフェース（プリンタＩ／Ｆ）で、プリンタ３１２とコントローラユニット３１６を接続し、画像データの同期系／非同期系の変換を行う。また、３１３はスキャナインタフェース（スキャナＩ／Ｆ）で、スキャナ３１４とコントローラユニット３１６を接続し、画像データの同期系／非同期系の変換を行う。
【００３５】
３１７は画像処理部で、入力画像データに対し補正、加工、編集を行ったり、プリント出力画像データに対して、プリンタの補正、解像度変換等を行う。また、これに加えて、画像処理部３１７は、画像データの回転や、多値画像データに対してはＪＰＥＧ、２値画像データはＪＢＩＧ、ＭＭＲ、ＭＨ等の圧縮伸張処理を行う。
【００３６】
スキャナ部３１４は、原稿となる紙上の画像を照明し、ＣＣＤラインセンサで走査することで、ラスタイメージデータとして電気信号に変換する。原稿用紙は原稿フィーダのトレイにセットし、装置使用者が操作部３０８から読み取り起動指示することにより、ＣＰＵ３０１がスキャナ３１４に指示を与え、フィーダは原稿用紙を１枚ずつフィードし原稿画像の読み取り動作を行う。
【００３７】
プリンタ部３１２は、ラスタイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、ＣＰＵ３０１からの指示によって開始する。なお、プリンタ部３１２には、異なる用紙サイズまたは異なる用紙向きを選択できるように複数の給紙段を持ち、それに対応した用紙カセットがある。
【００３８】
操作部３０８は、ＬＣＤ表示部を有し、ＬＣＤ上にタッチパネルシートが貼られており、システムの操作画面を表示するとともに、表示してあるキーが押されるとその位置情報を操作部Ｉ／Ｆ３０７を介してＣＰＵ３０１に伝える。また、操作部３０８は、各種操作キーとして、例えば、スタートキー、ストップキー、ＩＤキー、リセットキー等を備える。
【００３９】
ここで、操作部３０８のスタートキーは、原稿画像の読み取り動作を開始する時などに用いる。スタートキーの中央部には、緑と赤の２色ＬＥＤがあり、その色によってスタートキーが使える状態にあるかどうかを示す。また、操作部３０８のストップキーは、稼働中の動作を止める働きをする。また、操作部３０８のＩＤキーは、使用者のユーザＩＤを入力する時に用いる。リセットキーは、操作部からの設定を初期化する時に用いる。
【００４０】
カードリーダ３１９は、ＣＰＵ３０１からの制御により、ＩＣカード（例えば、ソニー社のフェリカ（ＦｅｌｉＣａ）（登録商標））内に記憶されている情報を読み取り、該読み取った情報を外部Ｉ／Ｆ３１８を介してＣＰＵ３０１へ通知する。
【００４１】
図３は、本発明の実施形態に係わる画像処理装置の機能構成の一例を示すブロック図である。
【００４２】
ローラ負荷判定部３０１、搬送距離判定部３０２、用紙残枚数算出部３０３、第１ローラ制御部３０４、第２ローラ制御部３０５とで構成される。
【００４３】
ローラ負荷判定部３０１は、第１ローラと第２ローラの駆動装置の負荷を判定する。ローラ用紙を排紙方向に送るための順回転と、元に戻すための逆回転を行うことができる。
【００４４】
搬送距離判定部３０２は、用紙が搬送された距離を判定するものである。第１ローラと第２ローラが逆方向に回転していて負荷が所定の大きさになった時に、用紙が第１ローラと第２ローラのどちらからも引っ張られる状態であると判定して、そのときの用紙の搬送量を判定する。この搬送量を元に用紙残枚数算出部３０３が用紙残枚数を算出する。
【００４５】
第１ローラ制御部３０４および第２ローラ制御部３０５はそれぞれのローラの回転を制御する。順方向に回転、逆方向に回転、停止などの状態に制御する。
【００４６】
図４は、本発明の実施形態に係わる画像処理装置の残量検出処理の開始時のイメージ図である。
【００４７】
用紙が給紙カセットにセットされて閉じられた場合は、不図示の用紙残枚数算出ボタンが押された場合などの所定のタイミングで動作が開始される。
【００４８】
画像処理装置４０１では、まず第１ローラ４０２および第２ローラ４０３が順方向に回転して、用紙の搬送が開始される。次に第２ローラに用紙がかかった（検知された）状態を図５に示す。
【００４９】
図５は、本発明の実施形態に係わる画像処理装置の残量検出処理の第２ローラで用紙が検知された時のイメージ図である。
【００５０】
画像処理装置５０１では、第２ローラ５０３に用紙が検知されると、第１ローラ５０２を逆回転させる。第１ローラと第２ローラがお互いに用紙を引っ張り合う状態は、ローラの負荷が最大の状態となる。第１ローラと第２ローラの両方のローラに引っ張られる状態のときの用紙の搬送量を利用することにより用紙の残枚数を算出する。
【００５１】
ここでは、第２ローラの負荷を利用する。負荷が大きい場合（所定の負荷）の場合に、ちょうど第２ローラに用紙がかかったとして、用紙の搬送量を判定する。用紙の搬送量は、第１ローラの駆動量を利用することで判定が可能である。第１ローラの駆動量から用紙搬送量を得るには、先行文献に書かれている方法を利用すればよい。
【００５２】
図６は、本発明の実施形態に係わる画像処理装置の残量検出処理の所定の負荷状態が検知された時のイメージ図である。
【００５３】
画像処理装置６０１では、第２ローラ６０３の負荷が、第１ローラ６０２とお互いに引っ張り合う状態になるまで、方向を切り替えながら用紙の搬送を繰り返す。これには、第２の負荷量を利用する。すなわち、負荷量が第２の所定値よりも大きければ、第２ローラ６０３だけで用紙を搬送していると判定でき、第２の所定値よりも小さければ第２ローラ６０３は用紙を搬送していない（第１ローラ６０１だけで用紙を搬送している）と判定できる。
【００５４】
本実施形態では、用紙の長さと第１ローラ、第２ローラ間の長さが等しいので、負荷状態としては、お互いに引っ張り合っている状態の負荷が大きい場合（第１の所定値）、第２の所定値より大きい場合、第２の所定値より小さい場合の３段階で管理することができ、第１の所定値＞第２の所定値となっている。
【００５５】
図７は、本発明の実施形態に係わる画像処理装置の残量検出処理のフローチャートである。
【００５６】
図４が開始されるのと同じタイミング（検知開始のタイミング）で処理が開始される。ステップＳ７０１は、検知のタイミングであるかを判定するループ処理である。
【００５７】
ステップＳ７０２で用紙を給紙方向に搬送する。ステップＳ７０３では、用紙が第２モータにかかったかを検知し、用紙が検知されるまで用紙を搬送する。
【００５８】
第２モータで用紙が検知された場合には、ステップＳ７０４で、第１モータを排紙方向と逆に回転させ、ステップＳ７０４でモータの負荷を算出する。ここで、負荷が「大」「中」「小」の場合で説明しているが、「大」とは第１所定値の場合、「中」とは第２の所定値より大きい場合、「小」とは第２の所定値より小さい場合をいう。
【００５９】
モータの負荷が「大」であった場合、ステップＳ７０６に進み、用紙の搬送量を元に用紙残量を算出する。算出方法を図８にて説明する。
【００６０】
図８は、本発明の実施形態に係わる情報処理装置の残量検出処理に利用されるテーブルのイメージ図である。
【００６１】
用紙残量算出テーブル８０１は、用紙搬送量８０２と用紙残量８０３とが対応して記憶されているテーブルである。このテーブルを元に、用紙搬送量から用紙残量を算出する。例えば用紙搬送量が１２００であった場合、用紙残量は１であることを意味する。また、用紙搬送量が１００１であった場合、２００であることを意味する。
【００６２】
算出された用紙残枚数は、画像処理装置に備えられた不図示の「残枚数表示」ボタンが押下された場合や、ＰＣにインストールされたデバイスドライバからデバイスの状態を問い合わせを受けた場合に表示することができる。
【００６３】
図７の説明に戻る。ステップＳ７０７では、用紙を給紙トレイに戻す処理を行う。第１ローラおよび第ローラのどちらか、または両方が逆回転することにより給紙トレイの戻すことができる。これにより、用紙を一度排紙しなくても用紙残量を算出することができる。
【００６４】
ステップＳ７０５で負荷が「中」であると判定された場合、すなわち、第２モータだけで用紙を搬送している状態なので、ステップＳ７０８で、用紙を逆方向に搬送する。この場合は、第２モータを逆方法に回転することにより逆方向に搬送されステップＳ７０２に戻る。
【００６５】
ステップＳ７０５で負荷が「小」であると判定された場合、すなわち、第１モータだけで用紙を搬送している状態なので、ステップＳ７０９で用紙を順方向に搬送しステップＳ７０２に戻る。一度負荷が「中」であると判定され、用紙が逆方向に戻されすぎたときに、「小」の状態となるケースがある。
【００６６】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【００６７】
また、本発明におけるプログラムは、実施例に示すフローチャートの処理方法をコンピュータが実行可能なプログラムであり、本発明の記憶媒体は実施例にしめるフローチャートの処理方法をコンピュータが実行可能なプログラムが記憶されている。なお、本発明におけるプログラムは実施例の各装置の処理方法ごとのプログラムであってもよい。
【００６８】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【００６９】
この場合、記録媒体から読み出されたプログラム自体が本発明の新規な機能を実現することになり、そのプログラムを記憶した記録媒体は本発明を構成することになる。
【００７０】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【００７１】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００７２】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００７３】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。  さらに、本発明を達成するためのプログラムをネットワーク上のサーバ、データベース等から通信プログラムによりダウンロードして読み出すことによって、そのシステムあるいは装置が、本発明の効果を享受することが可能となる。
【００７４】
なお、上述した各実施形態およびその変形例を組み合わせた構成も全て本発明に含まれるものである。
【符号の説明】
【００７５】
１０１  画像処理装置
１０２  用紙
１０３  用紙カセット
１０４  第１ローラ
１０５  第２ローラ
１０６  他のローラ
１０７  給紙センサ
【図１】
2014069941.tif 000003
【図２】
2014069941.tif 000004
【図３】
2014069941.tif 000005
【図４】
2014069941.tif 000006
【図５】
2014069941.tif 000007
【図６】
2014069941.tif 000008
【図７】
2014069941.tif 000009
【図８】
2014069941.tif 000010